(57)【要約】      （修正有）【課題】綴じた書類束を複数部重ねて載置した場合にあってもその各々が識別性を失わず、また、綴じた書類束をそのまま廃棄可能な付箋部付きクリップを提供する。【解決手段】樹脂製などの適宜弾性を有するシート材を円形、方形、角形など任意の形状に形成してなるクリップ本体ｂと、クリップ本体の任意箇所に適宜形状の切込みを入れて形成した舌片ｔとを備え、舌片はクリップ本体との間に生じる間隙ｇに一乃至複数枚の紙片等を挿脱自在に挟持すると共に、クリップ本体には少なくとも舌片の根元側に文字・図形・記号・色彩などの情報を記載可能な付箋部ｄを設ける。【選択図】図３
0003133645.tif 000002
【実用新案登録請求の範囲】
【請求項１】
樹脂製などの適宜弾性を有するシート材を円形、方形、角形など任意の形状に形成してなるクリップ本体と、該クリップ本体の任意箇所に適宜形状の切込みを入れて形成した舌片とを備え、該舌片はクリップ本体との間に生じる間隙に一乃至複数枚の紙片等を挿脱自在に挟持すると共に、前記クリップ本体には少なくとも前記舌片の根元側に文字・図形・記号・色彩などの情報を記載可能な付箋部を設けたことを特徴とする付箋クリップ。
【請求項２】
付箋部には、前記舌片及び／又はクリップ本体全面を適用してなる請求項１の付箋クリップ。
【請求項３】
シート材は、硬質な紙材からなる請求項１又は請求項２の付箋クリップ。
【請求項４】
クリップ本体と付箋部を同一のシート材により一体形成し、舌片は該クリップ本体の正面視稍下方部分に切込みを入れて形成され、前記付箋部には前記クリップ本体の正面視稍上方の余剰部分を適用してなる請求項１〜請求項３のいずれかの付箋クリップ。
【請求項５】
舌片は、根元にクリップ本体の表面に対して立ち上がった擁壁と、該擁壁の適宜位置をクリップ本体の正面側へ折曲することによって該クリップ本体と略平行となるよう保持された挟持部とを備えた請求項１〜請求項４のいずれかの付箋クリップ。
【考案の詳細な説明】
【技術分野】
【０００１】
本考案は書類を束ねるクリップに関し、より詳しくは束ねた書類の各々に識別性を持たせることのできる付箋部付きクリップに関するものである。
【背景技術】
【０００２】
複数枚の書面を綴じて束ねるクリップは、学校やオフィスをはじめあらゆる場面で使用され、既にゼムクリップ・ダブルクリップなどが広く一般に普及している。
【０００３】
然し乍ら、上記クリップは機能性を重視した没個性的なデザインによって製造されるのがその殆どであるところ、このようなクリップで綴じた複数種類の書類束を重ねて置いた場合には何れが何れの書類であるか判別できなくなって紛失してしまうことがあり、再び探し出すのは困難なことが多い。
【０００４】
また、従来型クリップは金属を原料とするために綴じた書類の廃棄に際しては該書類からクリップを外して分別する必要があり煩に堪えず、時として人間の指先を傷付ける場合もある。さらに、金属製のダブルクリップを付けた書類束をそのままシュレッダにかけるとシュレッダそのものを故障させることがある。
【考案の開示】
【考案が解決しようとする課題】
【０００５】
そこで本考案は従来型のクリップが有する上記の不具合に鑑み、綴じた書類束を複数部重ねて載置した場合にあってもその各々が識別性を失わず、また綴じた書類束をそのまま廃棄可能な付箋部付きクリップを提供することを課題とする。
【課題を解決するための手段】
【０００６】
上記の課題を解決することを目的としてなされた本考案付箋クリップの構成は、樹脂などの適宜弾性を有するシート材を円形、方形、角形など任意の形状に形成してなるクリップ本体と、該クリップ本体の任意箇所に適宜形状の切込みを入れて形成した舌片とを備え、前記舌片はクリップ本体との間に生じる間隙に一乃至複数枚の紙片等を挿脱自在に挟持すると共に、前記クリップ本体には少なくとも該舌片の根元側に文字・図形・記号・色彩などの情報を記載可能な付箋部を設けたことを特徴とするものである。また、付箋部には、前記舌片及び／又はクリップ本体全面を適用可能であると共に、シート材は硬質な紙製素材に拠るのが好ましく、さらにはクリップ本体と付箋部とを同一のシート材により一体形成し、舌片は該クリップ本体の正面視稍下方部分に切込みを入れて形成され、該付箋部には前記クリップ本体の正面視稍上方部分を適用してなる構成とすることも可能である。或いは、舌片は、根元にクリップ本体の表面に対して立ち上がった擁壁と、該擁壁の適宜位置をクリップ本体の正面側へ折曲することによって該クリップ本体と略平行となるよう保持された挟持部とを備えることも任意である。
【考案の効果】
【０００７】
本考案付箋クリップは、クリップ本体を円形、方形、角形、或いは星型やハート型など任意の形状に形成してなり、また付箋部には文字・図形・記号・色彩などの情報を記載可能であるため、机上等において多種部数の書類を纏めて置いても必要な書類を即座に判別して探し出すことができる。また、本考案付箋クリップは、その素材を紙材とすることで可燃ゴミとして特段の分別作業を要することなく綴じた書類束を廃棄できると共に、これをそのままシュレッダにかけても素材が紙材ゆえにシュレッダの刃を損傷させるなどといったことはない。さらに、本考案付箋クリップの有する舌片を、その根元部分に配設された擁壁と、該擁壁の適宜位置をクリップ本体の表面側へ折曲してクリップ本体と略平行に保持された挟持部とからなるよう構成することで、クリップとしての挟持効果を向上させることができる。この結果、必要な書類を探し難い、或いは書類の廃棄に際し手間が掛かるなどといった事態については完全に防止することができる。
【考案を実施するための最良の形態】
【０００８】
次に、本考案付箋クリップの実施の形態例について図に拠り説明する。図１は本考案付箋クリップを例示した正面図、図２は図１の本考案付箋クリップにおいて舌片を持上げた状態を例示した側断面図、図３は図２の斜視図、図４は一枚のシート材に本考案付箋クリップを複数個適用する態様を例示した正面図、図５及び図６は舌片の根元に擁壁を形成した本考案付箋クリップを例示した側断面図、図７はクリップ本体を星型やハート型等に形成した本考案付箋クリップを例示した正面図である。
【０００９】
図１において、１は本考案に係る付箋クリップであって、接着剤などの硬化接着成分の塗布又は含浸などにより適宜弾性を備えるよう硬質化された紙製シート材ｓを方形に形成したクリップ本体ｂと、該クリップ本体ｂの正面視稍下方部分に略U字形状の切込みを入れて形成した舌片ｔとを備えている。この舌片ｔの根元側には、文字・図形・記号・色彩などを記入できる付箋部ｄを設けてあり、本実施例においては、クリップ本体ｂの正面視稍上方の余剰部分を利用することによって該クリップ本体ｂと一体的に形成されている。この付箋部ｄに記載された情報によって本考案クリップ１は夫々に識別性を発揮し、その結果として本考案クリップ１に挟持された書類束に対してもこの識別性が与えられることとなる。付箋部には前記舌片及び／又はクリップ本体全面を適用して構成することも可能である。なお、シート材ｓとしてはその他に鉄道乗車券等のいわゆる半軟券に用いられるようなプリンタで印字可能なロール紙や、ポリ塩化ビニル等の熱可塑性エラストマなどを用いることも可能であり、上記硬質紙材に限定されるものではない。また、クリップ本体ｂに入れる切込みの形状は本実施例に見られるような略U字形状に限らず、数字やアルファベットなど適宜の形状に切込んで舌片ｔを形成することによって、該舌片ｔそのものに新たな識別力を持たせることも任意である。クリップ本体ｂを星型やハート型に形成して識別性を獲得できることはいうまでもない。
【００１０】
本考案付箋クリップ１は、図２及び図３に示すように、舌片ｔをクリップ本体ｂから持上げたときに該舌片ｔの根元部分に生ずる応力を利用して、クリップ本体ｂとの間に生じる間隙ｇに紙片を始めとする所要物を挟持することができる。
【００１１】
クリップ本体ｂに舌片ｔを形成する切込みを入れるに際しては、本考案クリップ１の連続使用或いは繰返し使用に因るシート材ｓの疲労や裂損を軽減するために、舌片ｔの根元両端部に透孔ｈを穿設して該シート材ｓの応力減衰を抑制するのが望ましい。
【００１２】
また、本考案付箋クリップ１は紙片等への挟持効果をより確実なものとするために、図５及び図６に示すように、舌片ｔの根元部分にクリップ本体１に対して立ち上がった擁壁ｗを形成すると共に、この舌片ｔの適宜位置をクリップ本体１側に向けて折曲げ該クリップ本体１と略平行に保持された挟持部ｐを設けて構成することも可能である。
【００１３】
これにより、本考案クリップ１はシート材ｓが応力を失うまで紙片等に対する挟持力を強く維持することができるので、より長い時間連続して或いは繰返して使用できると共に、シート材ｓがその応力を失ったときには書類束ごとこれを可燃ゴミとして又はシュレッダにかけて即廃棄することが可能である。
【産業上の利用可能性】
【００１４】
本考案は以上の通りであって、クリップ本体を円形、方形、角形、或いは星型やハート型など任意の形状に形成してなり、また付箋部には文字・図形・記号・色彩などの情報を記載可能であるため、机上等において多種部数の書類を纏めて置いても必要な書類を即座に判別して探し出すことができ、また、その素材を紙材とすることで可燃ゴミとして特段の分別作業を要することなく綴じた書類束を廃棄できると共に、これをそのままシュレッダにかけても素材が紙材ゆえに刃を損傷等させるといったことはなく、さらに、舌片を、その根元部分に配設された擁壁と、該擁壁の適宜位置をクリップ本体の表面側へ折曲してクリップ本体と略平行に保持された挟持部とからなるよう構成することで、クリップとしての挟持効果を向上させることができるので、この結果として、必要な書類を探し難い、或いは書類の廃棄に際して危険や面倒などを招来するといった事態を完全に防止することができるという効果を有するから付箋クリップに適用してきわめて有用である。
【図面の簡単な説明】
【００１５】
【図１】本考案付箋クリップの一例の正面図
【図２】本考案付箋クリップにおいて舌片を持上げた状態を例示した側断面図
【図３】本考案付箋クリップにおいて舌片を持上げた状態を例示した斜視図
【図４】一枚のシート材に本考案付箋クリップを複数個適用した態様を例示した正面図
【図５】舌片の根元に擁壁を形成した本考案付箋クリップを例示した側断面図
【図６】舌片の根元に擁壁を形成した本考案付箋クリップを例示した側断面図
【図７】クリップ本体を星型やハート型等に形成した本考案付箋クリップを例示した正面図
【符号の説明】
【００１６】
１    本考案に係る付箋クリップ
ｂ    クリップ本体
ｔ    舌片
ｄ    付箋部
ｈ    透孔
ｇ    間隙
ｓ    シート材
ｗ    擁壁
ｐ    挟持部
【図１】
0003133645.tif 000003
【図２】
0003133645.tif 000004
【図３】
0003133645.tif 000005
【図４】
0003133645.tif 000006
【図５】
0003133645.tif 000007
【図６】
0003133645.tif 000008
【図７】
0003133645.tif 000009
【手続補正書】
【提出日】平成19年5月8日(2007.5.8)
【手続補正１】
【補正対象書類名】図面
【補正対象項目名】図７
【補正方法】変更
【補正の内容】
【図７】
0003133645.tif 000010